(57)【要約】【課題】被挟持物を比較的強く挟持でき、挟持を維持するためのねじが緩んでも簡単にこれを締めつけることができるようにすると共に、見栄えをよくする。【解決手段】フック２０の先端部には鈎形部２１が形成され、鈎形部２１の内側に便座２の内周側縁部２ａに係合される。便座２の外周側縁部２ｂには、アジャスター３０の先端面３１が対応している。ナット５０がフック２０の後端部に嵌着され、ボルト５１がノブ４０の後端部に嵌着され、ボルト５１をナット５０に螺合させて、ノブ４０を時計回りに回転させると、ノブ４０が鈎形部２１側へ移動しノブ４０の先端面４１がアジャスター３０のフランジ３２を押圧して、アジャスター３０の先端面３１が便座の外周側縁部２ｂを押圧する。【選択図】図１
0003110169.tif 000002
【実用新案登録請求の範囲】
【請求項１】
被取付体（２）を挟持することにより該被取付体に取り付けられる挟持取付型突設具において、
中空部を有し該中空部の先端が開口端である中空体（４０）と、
該中空部に遊びをもって挿入される後部と、該後部に連なる前部とを有し、該前部には、該中空体の該開口端の一部に対応した突設部（３２）と、該被取付体の第１部（２ｂ）を直接又は間接的に押圧するための先端面（３１）とが形成されたアジャスター（３０）と、
該被取付体の、該第１部と反対側の第２部（２ａ）と係合して該第２部を直接又は間接的に押圧するための鈎形部（２１）が形成された先端部と、該中空部に挿入される基端部（２２）と、該先端部と該基端部との間を連ね該基端部側の部分が該中空部に挿入されるベース部（２３）とが形成されたフック（２０）と
を有し、該アジャスターは、該後部が該中空部に挿入された状態で該突設部（３２）が該ベース部（２３）から離れる方向に突設されており、
該中空体（４０）の一部であって該開口端と反対側の部分と該基端部（２２）との一方に、軸を他方側へ向けてねじ（５１）が該中空体と一体的に回転するように嵌合され又はねじが一体形成され、他方に、該ねじと螺合するナット（５０）が回転しないように嵌合され又は該ねじと螺合するねじ孔が一体形成されていることを特徴とする挟持取付型突設具。
【請求項２】
該アジャスターの該突出部の、該中空体の該開口端の一部と対応する面が、該開口端の該一部での接線に対し、該接線の接点から離れるほど該接線と該面との間隔が大きくなるような凸面（３３）を有することを特徴とする請求項１に記載の挟持取付型突設具。
【請求項３】
該アジャスターには、被案内部（３４）が形成され、
該フックには、該中空部に対応する該ベース部に形成され該被案内部と遊びをもって係合して該被案内部を該ベース部の長手方向へ案内するガイド部（２４）が形成されている
ことを特徴とする請求項１又は２に記載の挟持取付型突設具。
【請求項４】
該ねじ（５１）はボルトであり、
該中空体（４０）は、筒形であって、該開口端と反対側の部分に形成され該ボルトの頭部が嵌入される凹部（４２）と、該凹部の底面に形成されたボルト挿入孔（４４）とを有し、
該ボルトが該中空体と同心で、該ボルトが該中空体と一体的に回転して螺進することを特徴とする請求項１乃至３のいずれか１つに記載の挟持取付型突設具。
【請求項５】
該中空体（４０）、該アジャスター（３０）及び該フック（２０）はいずれも合成樹脂で一体成形されていることを特徴とする請求項１乃至４のいずれか１つに記載の挟持取付型突設具。
【請求項６】
該被取付体（２）は便座であり、該第１部（２ｂ）は該便座の外周側縁部であり、該第２部（２ａ）は該便座の内周側縁部であり、該中空体（４０）はノブであることを特徴とする請求項１乃至５のいずれか１つに記載の、便座用取っ手としての挟持取付型突設具。
【考案の詳細な説明】
【技術分野】
【０００１】
本考案は、便座等の被取付体を挟持することにより該被取付体に取り付けられ、便座用取っ手等として用いられる挟持取付型突設具に関する。
【背景技術】
【０００２】
洋式便器を男性小用として使用する際、放尿した尿の一部が便器周縁部上端面にかかることがよくあるので、便座を蝶動させる際に、不潔感を伴う。
【０００３】
そこで、下記特許文献１には、便座の内周縁部と外周縁部とを挟持して便座に取り付ける便座用取っ手が開示されている。この構成によれば、便座にねじ孔等を形成することなく、取っ手を便座に取り付けることができる。
【０００４】
しかしながら、金属線の弾性力又はばねの付勢力を用いて挟持しているので、挟持強度が弱い。特に急いでいる時や小便を我慢していた時、過度な力が取っ手に加えられやすい。挟持を大強度にするため、挟持片の一方をナットで構成すると、便座の下端付近のみを挟持することになるので、挟持力が充分とはいえず、また、蝶動時の振動でナットが緩む毎にスパナ等でナットを締めつける必要があり、煩雑である。
【０００５】
下記特許文献２では、一対の挟持片の一方を、ボルトと蝶ナットでベースプレートに固定することにより、ボルトが緩んだときの締めつけを容易にしている。
【０００６】
しかしながら、挟持片に加わる曲げモーメントの腕の長さが比較的長いので、挟持力が充分とは言えず、また、蝶ナットが露出しているので見栄えがよくない。
【特許文献１】実開昭６３−１４２１９７号公報
【特許文献２】登録実用新案第３０３０９１３号公報
【考案の開示】
【考案が解決しようとする課題】
【０００７】
本考案の目的は、このような問題点に鑑み、被挟持物を比較的強く挟持することができ、挟持を維持するためのねじが緩んでも簡単にこれを締めつけることができ、しかも見栄えがよい挟持取付型突設具を提供することにある。
【課題を解決するための手段】
【０００８】
本考案の一態様を、図中の符号を参照して説明すれば、被取付体（２）を挟持することにより該被取付体に取り付けられる挟持取付型突設具において、
中空部を有し該中空部の先端が開口端である中空体（４０）と、
該中空部に遊びをもって挿入される後部と、該後部に連なる前部とを有し、該前部には、該中空体の該開口端の一部に対応した突設部（３２）と、該被取付体の第１部（２ｂ）を直接又は間接的に押圧するための先端面（３１）とが形成されたアジャスター（３０）と、
該被取付体の、該第１部と反対側の第２部（２ａ）と係合して該第２部を直接又は間接的に押圧するための鈎形部（２１）が形成された先端部と、該中空部に挿入される基端部（２２）と、該先端部と該基端部との間を連ね該基端部側の部分が該中空部に挿入されるベース部（２３）とが形成されたフック（２０）と
を有し、該アジャスターは、該後部が該中空部に挿入された状態で該突設部（３２）が該ベース部（２３）から離れる方向に突設されており、
該中空体（４０）の一部であって該開口端と反対側の部分と該基端部（２２）との一方に、軸を他方側へ向けてねじ（５１）が該中空体と一体的に回転するように嵌合され又はねじが一体形成され、他方に、該ねじと螺合するナット（５０）が回転しないように嵌合され又は該ねじと螺合するねじ孔が一体形成されている。
【考案の効果】
【０００９】
上記第１態様の構成によれば、該中空体（４０）を回転させるだけで、該ねじが該ナット又は該ねじ孔と螺合して螺進し、これにより、該中空体の該開口端（４１）が該アジャスターの該突設部（３２）を直接又は間接的に押圧して該アジャスター（３０）と該フック（２０）とで該被取付体（２）が挟持されるので、使用時の振動によりねじの締めつけが緩んでも、この挟持を容易に再強化することができる。
【００１０】
また、該アジャスター（３０）の該後部が該中空体に遊挿され、この遊挿された状態で該突設部（３２）が該ベース部（２３）から離れる方向に突設されており、該突設部（３２）を該中空体（４０）の該開口端（４１）の一部を直接又は間接的に押圧しているので、該アジャスター（３０）の該先端面と該フックの該ベース部（２３）の一部とで該第１部（２ｂ）を強固に挟持することができる。
【００１１】
さらに、該中空体（４０）が該フック（２０）の該後部及び該アジャスター（３０）の該後部を覆っているので、見栄えがよいとともに、挟持取付型突設具（１０）の全長を短くすることができる。
【００１２】
本考案の他の目的、構成及び効果は以下の説明から明らかになる。
【考案を実施するための最良の形態】
【００１３】
以下、図面を参照して本考案の実施例を説明する。
【実施例１】
【００１４】
図４に示すように、便器本体１の上端部一端側には、便座２及び蓋３が蝶動自在に軸支されている。便座２は略リング形であり、その側部には、本考案の挟持取付型突設具が適用された取っ手１０が取着されている。
【００１５】
図１は、便座２に取着された取っ手１０を便座２の一部と共に示す斜視図である。図２は、図１の取っ手１０の分解斜視図である。図３（Ａ）〜（Ｄ）はそれぞれ、取っ手１０の平面図、図３（Ａ）中の Ｂ−Ｂ線に沿った縦断面図、取っ手１０の右側面図、及び、取っ手１０の左側面図である。を構成するフック２０、アジャスター３０及びノブ４０の斜視図である。図３（Ａ）は取っ手１０の平面図であり、図３（Ｂ）は図３（Ａ）である。図４（Ａ）及び（Ｂ）はそれぞれ、図３に示す取っ手１０の左側面図及び右側面図である。
【００１６】
この取っ手１０は、フック２０、アジャスター３０及びノブ４０を主要な構成要素とし、それぞれ射出成形により合成樹脂で一体成形されている。
【００１７】
フック２０の先端部には鈎形部２１が形成され、鈎形部２１の内側に便座２の内周側縁部２ａに係合される。便座２の外周側縁部２ｂには、アジャスター３０の先端面３１が対応している。ノブ４０を時計回りに回転させると、ノブ４０が鈎形部２１側へ移動しノブ４０の先端面４１がアジャスター３０のフランジ３２を押圧して、アジャスター３０の先端面３１が外周側縁部２ｂを押圧する。
【００１８】
フック２０に対するノブ４０のその軸方向への移動は、次のような構成により行われる。すなわち、フック２０の基端部に形成されたナット保持部２２の切欠部２２１にナット５０が嵌入され、一方、ノブ４０の後端部に形成された凹部４２にボルト５１の頭部が嵌入され、ノブ４０を回転させることによりボルト５１がノブ４０と一体的に回転する。この際にボルト５１をナット５０に螺合させると、ナット５０の回転がナット保持部２２で阻止されるので、フック２０に対しノブ４０がボルト５１と共に螺進する。
【００１９】
ボルト５１とナット５０に関係した構成を詳細すれば、ナット保持部２２において、切欠部２２１の後方側及び前方側にそれぞれ切欠部２２２及び２２３が形成され、これによりボルト５１がナット５０を螺貫可能となっている。また、組立を容易にするため、凹部４２の内壁面の奥側には、図２に示すように、ボルト５１の挿入方向に延びた薄い線形凸部４３が、１２０゜の等間隔で３箇所形成され、ボルト５１の頭部を凹部４２へある程度まで挿入し易くするとともに、それ以上嵌入させるとボルト５１が抜け難くなっている。
【００２０】
このような構成は、ナット保持部２２の切欠部２２１の内壁面についても同様であり、ナット５０の挿入方向に延びた薄い線形凸部２２４が、切欠部２２１内の対向する上面と底面とに形成され、ナット５０を切欠部２２１内へある程度まで挿入し易くするとともに、それ以上嵌入させるとナット５０が抜け難くなっている。
【００２１】
ノブ４０の凹部４２の底面には、ボルト５１が挿入される孔４４が形成されている。ノブ４０を軽量にしてコストを低減するとともに凹部４２を補強するために、ノブ４０の筒部内周面と凹部４２の外周面との間には、４つのリブ４４が９０°の等間隔で形成されている。
【００２２】
次に、フック２０では、鈎形部２１とナット保持部２２との間がベース部２３で繋がっており、その鈎形部２１側は、便座２の下面に対応している。ベース部２３のナット保持部２２側には縦断面Ｔ字形のガイドレール部２４が形成され、アジャスター３０をフック２０の長手方向へ案内可能となっている。ガイドレール部２４の先端部には、矩形のストッパー２４１が形成されている。一方、アジャスター３０の底面側には、縦断面Ｃ字形の被案内部３４が形成され、これにガイドレール部２４が遊嵌される。被案内部３４の上方には刳り抜き部３５が形成され、アジャスター３０を軽量にしてコストを低減を図っている。
【００２３】
ベース部２３の底面には、その中央線に沿って先端から後端までリブ２５が突設され、これにより、ベース部２３を薄くして軽量にするとともにベース部２３の曲げ強度を確保することが可能となっている。
【００２４】
次に、上記の如く構成された取っ手１０の便座２への取付動作の一例を説明する。
【００２５】
ナット５０をナット保持部２２の切欠部２２１内に嵌入し、ボルト５１をノブ４０の孔４４に挿入し、さらにボルト５１の頭部５１１をノブ４０の凹部４２内に嵌入する。また、アジャスター３０の被案内部３４をフック２０のガイドレール部２４に係合させる。
【００２６】
この状態で、ベース部２３上に便座２を配置し、フック２０の後部及びアジャスター３０の後部を覆うようにノブ４０を外挿し、ノブ４０を時計回りに回転させてボルト５１をナット５０と羅合させる。
【００２７】
これにより、ノブ４０が鈎形部２１側へ螺進し、アジャスター３０のフランジ３２がノブ４０の先端面４１で押圧されて、先端面３１が便座２の外周側縁部２ｂを押圧する。その結果、フック２０の鉤形部３１と、アジャスター３０の先端面３１及びフック２０のアジャスター３０付近の部分とで、便座２が挟持される。
【００２８】
このように、ノブ４０がボルト５１に対しスパナとして機能し、ノブ４０を回転させるだけで鈎形部２１と先端面３１とによる挟持を強化することができるので、使用時の振動によりボルト５１の締めつけが緩んでも、この挟持を容易に再強化することができる。
【００２９】
また、ノブ４０に遊挿されたアジャスター３０の上方向突出フランジ３２を、ノブ４０の前端で押圧しているので、便座２の外周側縁部２ｂに対する、アジャスター３０の先端面３１によるベース２３側への押圧モーメントが比較的強く、アジャスター３０の下端部を押圧する場合よりも、より強固に便座２を挟持することができる。
【００３０】
さらに、ノブ４０がフック２０の後部及びアジャスター３０の大部分を覆っているので、見栄えがよいとともに、ノブの開口端を反対側にした場合（上記特許文献２）よりも取っ手１０の全長を短くすることができる。
【００３１】
ここで図４において、便座２の内周面と外周面の形状が相似でないので、取っ手１０の取付位置において、便座２の内周面の接線と外周面の接線とが平行から少しずれている。すなわち、フック２０の長手方向に対し便座２の外周側縁部２ｂが直角から僅かずれている。このため、鈎形部２１と先端面３１とベース部２３とによる便座挟持が弱くなる原因となる。
【００３２】
しかしながら、この問題は、次のような構成で解消されている。
【００３３】
すなわち、図３（Ａ）に示す如く、ノブ４０の先端４１に対応した、アジャスター３０のフランジ３２の面３３が、凸レンズの表面のように滑らかな凸面となっている。より詳細には、アジャスター３０のフランジ３２に対応する、ノブ４０の開口端４１の部分での開口円接線に対し、接点から離れるほど該接線と面３３との間隔が大きくなるような凸面になっている。また、アジャスター３０のノブ４０内の外周面とノブ４０の内周面との間及びガイドレール部２４と被案内部３４との間に、遊びがある。
【００３４】
このような構成により、ノブ４０の先端面４１で凸面３３を押圧することにより、上記ずれに応じてアジャスター３０の向きがずれ、便座２の外周側縁部２ｂに対する先端面３１の押圧面積を広くして、鈎形部２１と先端面３１とベース部２３とによる挟持をより強固にすることができる。
【００３５】
また、上記線形凸部４３及び２２４並びにストッパー２４１により、組立時に部品が傾斜してもボルト５１、ナット５０及びアジャスター３０が落下するのを防止できるので、組立が容易である。
【実施例２】
【００３６】
図５（Ａ）は、本考案の実施例２の取っ手１０Ａの縦断面を示す。
【００３７】
この取っ手１０Ａでは、フック２０Ａの後端部２２Ａに、実施例１のナット５０に対応したねじ孔５０Ａが形成され、一方、ノブ４０Ａの後端部に、ノブ４０Ａの前方へ向けノブ４０Ａの筒部と同心に、ボルト部５１Ａが突設されている。
【００３８】
この構成によれば、フック２０Ａにねじ孔５０Ａが一体形成され、ノブ４０Ａにボルト部５１Ａが一体形成されているので、取っ手１０Ａの組み立てが実施例１の場合よりも簡単である。
【００３９】
また、ガイドレール部２４にはストッパー板２４１が形成されておらず、フック２０Ａの前側からアジャスター３０をガイドレール２４に係合させることができる。
【００４０】
さらに、フック２０Ａの底面には図３に示すようなリブ２５が形成されておらず、曲げ強度をより大きくするためフック２０Ａの厚みを大きくし、縦断面の底面を円弧形にしている。
【実施例３】
【００４１】
図５（Ｂ）は、本考案の実施例３の取っ手１０Ｂの縦断面を示す。
【００４２】
この取っ手１０Ｂでは、ボルト５１Ａとねじ孔５０Ａとが実施例２の場合と互いに逆の箇所に形成されている。すなわち、フック２０Ｂの後端部２２Ｂにボルト５１Ａが後方へ向けて突設され、一方、ノブ４０Ｂの後端部にねじ孔５０Ａが形成されている。
【００４３】
また、フック２０Ｂに図５（Ａ）に示すようなガイドレール部２４が形成されておらず、且つ、アジャスター３０に図５（Ａ）に示すような被案内部３４が形成されておらず、アジャスター３０Ａをノブ４０Ｂの内周面で案内している。
【００４４】
なお、本考案には外にも種々の変形例が含まれる。
【００４５】
例えば、鈎形部２１と内周側縁部２ａとの間、先端面３１と外周側縁部２ｂとの間または凸面３３と先端４１との間にゴム又はスポンジ等のクッション部材を介在させてもよい。この場合、形状が少し異なる便座２に対し、より密着した挟持を行わせて挟持をより強固にすることができると共に、振動によりボルトが緩むのを抑制することができる。
【００４６】
また、便座の形状は、ヒータの有無やメーカー、型式に応じて異なるが、これに応じて、ベース部２３又は鈎形部２１の形状が異なるフック２０を複数用意しておき、ユーザーが適当な形状のフック２０を選択できるようにしてもよいことは勿論である。
【００４７】
さらに、本考案の挟持取付型突設具は、便座以外の被取付体を挟持する取っ手、棚板等の係止具、係合具又はブラケット等として利用することができる。この場合、用途に応じた外形の中空体、例えば筒状物を用いることができる。
【図面の簡単な説明】
【００４８】
【図１】本考案の実施例１の、便座に取着された取っ手を便座の一部と共に示す斜視図である。
【図２】図１の取っ手の分解斜視図である。
【図３】（Ａ）〜（Ｄ）はそれぞれ、図１の取っ手の平面図、（Ａ）中の Ｂ−Ｂ線に沿った縦断面図、この取っ手の右側面図及び左側面図である。
【図４】図１の取っ手が取着された洋式便器を示す斜視図である。
【図５】（Ａ）及び（Ｂ）はそれぞれ本考案の実施例２及び３の便座用取っ手の縦断面図である。
【符号の説明】
【００４９】
１  便器本体
２  便座
２ａ  内周側縁部
２ｂ  外周側縁部
３  蓋
１０、１０Ａ、１０Ｂ  取っ手
２０、２０Ａ、２０Ｂ  フック
２１  鈎形部
２２  ナット保持部
２２Ａ、２２Ｂ  後端部
２２１〜２２３  切欠部
２２４、４３  線形凸部
２３、２３Ａ  ベース部
２４  ガイドレール部
２４１  ストッパー
２５、４４  リブ
３０、３０Ａ  アジャスター
３１  先端面
３２  フランジ
３３  凸面
３４  被案内部
３５  刳り抜き部
４０、４０Ａ、４０Ｂ  ノブ
４１  先端面
４２  凹部
４４  孔
５０  ナット
５０Ａ  ねじ孔
５１、５１Ａ  ボルト
５１１  頭部
【図１】
0003110169.tif 000003
【図２】
0003110169.tif 000004
【図３】
0003110169.tif 000005
【図４】
0003110169.tif 000006
【図５】
0003110169.tif 000007